(57)【要約】【課題】  光ピックアップ装置において、薄型化を可能としつつ簡単かつ安価に構成することができるとともに、ミラーの角度調整が簡単に行えるようにする。【解決手段】  光ピックアップ装置は、半球状に形成されたミラー１１を備えた筐体１０と、対物レンズ３１を備えた可動部３０とから構成されている。筐体１０の底部１２にはミラー１１の球面に対応した形状の球面状凹部１３が設けられているとともに、この球面状凹部１３の一部には外部に連通する貫通孔１４が設けられている。そして、球面状凹部１３にミラー１１を直接載置し、貫通孔１４を介してエアー吸引によりミラー１１を仮保持した状態で、ミラー１１の角度を調整するとともに同ミラー１１を筐体１０に固定した。【選択図】  図１
2005174505.tif 000002
【特許請求の範囲】
【請求項１】
光を発する光源および同光源からの光を反射させるミラーを組み付けた筐体と、
前記ミラーによって反射された光を集光させる対物レンズとを備えた光ピックアップ装置において、
前記ミラーを半球状に形成するとともに前記筐体に球面状凹部を設けて、前記ミラーをその裏面にて前記球面状凹部に固着したことを特徴とする光ピックアップ装置。
【請求項２】
前記球面状凹部に、同球面状凹部の一部を外部に連通させる貫通孔を設けたことを特徴とする請求項１に記載の光ピックアップ装置。
【請求項３】
前記球面状凹部に、前記ミラーを支持するための少なくとも３つの突起を設けたことを特徴とする請求項１に記載の光ピックアップ装置。
【発明の詳細な説明】
【技術分野】
【０００１】
本発明は、ＣＤ，ＭＯなどの光ディスクに情報を記録し、または光ディスクに記録された情報を再生する光ピックアップ装置に関する。
【背景技術】
【０００２】
従来、この種の光ピックアップ装置として下記特許文献１に示されるようなものがある。この光ピックアップ装置には、ミラーの角度調整機構としてミラーを組み付けた半月状のホルダと、このホルダを支持する筐体が備えられている。ホルダの中央部にはミラーを取り付けるための嵌合部と、この嵌合部にミラーを取り付ける際に利用される弾性部材および接着材を挿入する溝部がそれぞれ設けられ、嵌合部にミラーを嵌合させた状態でそれぞれの溝部に弾性部材を挿入するとともに接着剤を注入してホルダにミラーが取り付けられている。また、ホルダのミラーが取り付けられた反対側の外形は球面状に形成されており、この球面の中心がミラーの反射面上になるようにミラーが組み付けられている。
【特許文献１】特開２００２−５６５６３号公報
【０００３】
筐体にはレーザ光の光路方向にスリットが形成されており、このスリットの両側に前記ホルダの球面部分に対応した球面状凹部が形成されている。そして、この球面状凹部の球面にホルダの球面部分を当接させた状態でホルダが球面状凹部上に載置される。この場合、球面状凹部の中心はホルダの球面部分の中心と一致するとともにミラーの反射面におけるレーザ光の反射点に略一致するように設定されており、ホルダは球面状凹部に対して摺動可能になっている。その結果、ミラーの傾きを光軸の軸回り方向および同光軸と直交する二つの軸線回り方向の３軸方向に調整可能となり、ホルダをこの３軸方向に摺動させることによってミラーの傾きを所望する角度に調整することができる。そして、この角度調整の後、ホルダと筐体の当接縁部分を接着固定することによりミラーを筐体に固着するようになっている。
【０００４】
しかしながら、このような光ピックアップ装置においては、ミラーの角度調整機構を構成する部品および部材が多く、複雑な構成となっているため光ピックアップ装置の薄型化に限界があるとともに光ピックアップ装置のコストアップの要因となる。また、この角度調整機構を構成する部品が多いことは、光ピックアップ装置の組み立ておよびミラーの角度調整に多くの時間を必要とするとともに各部品の部品精度を高精度に保たなければならず、さらに光ピックアップ装置のコストアップの要因となる。また、各部品の精度を高精度に保っても各部品の寸法公差が累積された結果、ミラーの角度調整精度を悪化させることになり角度調整に多くの時間を必要とする。さらにミラーの調整時においても、ミラーの組み付けられたホルダの角度の位置調整自体が難しく、より一層調整時間を要するという問題があった。
【発明の開示】
【０００５】
本発明は前記問題に対処するためなされたもので、その目的は、光ピックアップ装置の薄型化を可能としつつ簡単かつ安価に構成することができ、ミラーの角度調整が簡単に行える光ピックアップ装置を提供することにある。
【０００６】
前記目的を達成するため、本発明の特徴は、光を発する光源および同光源からの光を反射させるミラーを組み付けた筐体と、前記ミラーによって反射された光を集光させる対物レンズとを備えた光ピックアップ装置において、ミラーを半球状に形成するとともに筐体に球面状凹部を設けて、ミラーをその裏面にて球面状凹部に固着したことにある。
【０００７】
このように構成した本発明によれば、半球状に形成されたミラーを筐体内に設けられた球面状凹部に直接載置してミラーの角度調整および固着が行えるように構成したため、光ピックアップ装置の薄型化が可能となる。また、光ピックアップ装置の部品数を減らすことができるため、光ピックアップ装置を簡単かつ安価に構成できるとともに組み立ておよびミラーの角度調整を短時間に行えるほか、部品の寸法公差の累積によるミラーの角度調整精度の悪化を抑えて高精度なミラーの角度調整が可能となる。
【０００８】
また、この場合、前記球面状凹部に、同球面状凹部の一部を外部に連通させる貫通孔を設けるようにするとよい。より具体的には、ミラーの角度調整時に使用されてミラーを球面状凹部に吸引するための貫通孔を設けるとよい。これによれば、例えば、ミラーを球面状凹部に載置した際、筐体の外部から前記貫通孔を通してエアー吸引による負圧を掛けることによりミラーを仮保持することができる。これにより、ミラーを安定した状態で角度調整することができ、ミラーの角度調整をより簡単に行うことができる。
【０００９】
また、この場合、前記球面状凹部に、前記ミラーを支持するための少なくとも３つの突起を設けるように構成してもよい。これによれば、筐体の球面状凹部に設けた３つの突起によってミラーを点接触にて三点支持することができるため安定した状態でミラーの角度調整を行うことができ、より高精度なミラーの角度調整が可能となる。
【発明を実施するための最良の形態】
【００１０】
ａ．第１実施形態
以下、本発明の第１実施形態を図面を用いて説明すると、図１は同実施形態に係る光ピックアップ装置の組み立て状態を表す全体斜視図であり、図２は同光ピックアップ装置の縦断面図であり、図３は同光ピックアップ装置の分解斜視図である。
【００１１】
この光ピックアップ装置は、ミラー１１を備えた筐体１０と、対物レンズ３１を備えた可動部３０とによって構成されている。
【００１２】
筐体１０は、その一側面が開放された箱型の形状からなり、その底面には中央部にて深さの異なる二段状の底部１２が形成されている。この底部１２における段部の中央部には、凹状の球面形状をした球面状凹部１３が形成されているとともに、その上にミラー１１が固着されている。ミラー１１は、投射された光を反射させる平らな反射面とこの反射面に中心をもつ球面とからなる半球状の反射体であり、この球面が球面状凹部１３に当接した状態で固着されている。したがって、球面状凹部１３の球面形状はミラー１１の球面に対応した球面形状となっている。また、球面状凹部１３の球面中央部には筐体１０の外側に連通した貫通孔１４が設けられている。
【００１３】
底部１２の球面状凹部１３の後方には、Ｕ字状の磁性体からなるヨーク１５が立設固着されるとともにヨーク１５の内側にはマグネット１６，１６が磁気的に結合されて固着されている。また、ヨーク１５の後方には円柱状のシャフト１７，１７が立設固着されている。一方、底部１２の球面状凹部１３の前方壁面には、筐体１０の外側に貫通する光路孔１８が設けられ、その外側壁面にはホログラムユニット２１がその一部を光路孔１８に挿入した状態で固着されている。ホログラムユニット２１は、レーザダイオードなどからなる光源と、フォトダイオードなどからなる受光素子と、回析格子とを一体的に備えており、ミラー１１に向けてレーザ光を発するとともにミラー１１および光ディスク（図示せず）などによって反射された同レーザ光を受光して対応する電気信号に変換する光学部品である。
【００１４】
筐体１０の外側前面の一角部には四角柱状の第１支持部２２，２２が水平方向に突出して設けられるとともに外側後面の両端にはフランジ状の第２支持部２３，２３が設けられている。これらの第１支持部２２，２２および第２支持部２３，２３は、後述するミラー角度調整冶具にセットされる際に光ピックアップ装置を保持するために使用される。
【００１５】
可動部３０は、筐体１０内に収容されており、対物レンズ３１を備えるホルダ３２と、ホルダ３２をワイヤ３３を介して弾性的に支持するベース３４とから構成されている。
【００１６】
ホルダ３２は、その中央部に四角形の貫通孔が設けられた駒形形状（略五角形）をしており、この駒形形状をした先端部に対物レンズ３１が組み付けられているとともに貫通孔内に四角形状に巻かれたフォーカスコイル３５が組み付けられて構成されている。フォーカスコイル３５は、可動部３０が筐体１０に組み付けられた状態で、筐体１０のヨーク１５の一片に固着されているマグネット１６と対向するようになっている。そして、このマグネット１６による磁界とフォーカスコイル３５に通電される駆動電流により生じる磁界との作用によって、対物レンズ３１を含むホルダ３２を上下方向に変位させる。この対物レンズ３１を上下方向に変位動作させる制御がフォーカス制御である。
【００１７】
このフォーカスコイル３５の一側面の両側には、薄く四角形状に巻かれたトラッキングコイル３６，３６がそれぞれ固着されている。このトラッキングコイル３６，３６は、可動部３０が筐体１０に組み付けられた状態で、筐体１０のヨーク１５の他片に固着されているマグネット１６と対向している。そして、このマグネット１６による磁界とトラッキングコイル３６，３６にそれぞれ通電される駆動電流により生じる磁界との作用によって、対物レンズ３１を含むホルダ３２を光ディスクの径方向（図１中左右方向）に変位させる。この対物レンズ３１を光ディスクの径方向に変位動作させる制御がトラッキング制御である。このホルダ３２は、その両側面にそれぞれ設けられた支持片にて４本のワイヤー３３を介してベース３４に弾性的に支持されている。
【００１８】
ベース３４は、直方体状に形成されており、その長手方向の壁面には４本ワイヤー３３の一端がそれぞれ固着され、ワイヤー３３の他端に固着したホルダ３２を弾性的に支持している。また、ベース３４の上面から底面に向けて貫通した二つの軸孔３８，３８が設けられており、前記筐体１０に設けられたシャフト１７，１７を挿入することによって可動部３０を筐体１０内に固定している。
【００１９】
ここで、このように構成された光ピックアップ装置の組み立てについて図４ないし図９を用いて説明する。まず、作業者は、筐体１０の球面状凹部１３にミラー１１を取り付けるための冶具であるミラー角度調整冶具を用意する。
【００２０】
このミラー角度調整冶具は、ミラー１１を筐体１０に取り付ける際、ミラー１１の角度調整を行うための冶具であり、図４に示すようにオートコリメータ４１、反射鏡４２、ＣＣＤ４３、モニタ４４、バキューム４５および支持台５１から構成されている。オートコリメータ４１は、内蔵する光源からレーザ光を発し、ミラー１１および反射鏡４２によって反射された同レーザ光を受光することによって、ミラー１１の角度変位を検出する装置である。この反射されたレーザ光の検出は、オートコリメータ４１の上面に組み付けられたＣＣＤ４３により検出され、その結果がモニタ４４に投影されるようになっている。このオートコリメータ４１はミラー角度調整冶具の図示しない支持部材により、レーザ光の発する方向を自在に変更することができる状態で支持されている。また、モニタ４４はミラー角度調整冶具の図示しない支持部材により作業者の視認し易い位置に固定されている。
【００２１】
反射鏡４２は、オートコリメータ４１から発せられミラー１１により反射されたレーザ光を反射させる反射板であり、縦方向と横方向の角度が調節可能な状態でミラー台４８に立設されている。バキューム４５は、吸引口４７を通してエアーを吸引する装置であり、筐体１０の下面に設けられている貫通孔１４に吸引口４７を取り付けるように設置されている。なお、このバキューム４５のエアーの吸引力は、強弱２段階に設定できるようになっている。
【００２２】
支持台５１は、詳しくは図５に示すように、直方体状の部材からなり、その一側面に互いに平行な２本の支持棒５２，５３が設けられて構成されている。支持棒５２，５３は後述する角度校正冶具６０および筐体１０の支持に用いられるものであり、支持される筐体１０が基準面４６に対して略水平になるように設けられている。また、支持棒５２，５３は同径に形成されているが、ミラー１１の角度調整の際、筐体１０の光路孔１８を通るレーザ光の妨げにならないように支持棒５２は短く形成されている。
【００２３】
このように構成されたミラー角度調整冶具の使用に際しては、予めオートコリメータ４１と反射鏡４２の角度校正が必要なため、これらの角度校正について説明しておく。まず、作業者は、角度校正冶具６０を用意する。角度校正冶具６０は、図６に示すように、方形状の平板部材からなり、その上面の縁中央部に平面ミラー６1および三角ミラー６２がそれぞれ固着して設けられているとともに、下面に互いに平行な２本の溝部６３，６４が形成されている。平面ミラー６１は、オートコリメータ４１の角度校正に用いられる反射板であり、角度校正冶具６０を支持棒５２，５３に載置した状態で、支持棒５２，５３の中心軸を含む平面に対して平面ミラー６１の反射面が平行になるように取り付けられている。また、三角ミラー６２は、反射鏡４２の角度校正に用いられる反射体であり、角度校正冶具６０を支持棒５２，５３に載置した状態で、垂直方向から受けたレーザ光を支持棒５２，５３の中心軸を含む平面と平行かつこの平面に垂直で支持棒５２，５３の中心軸に垂直な平面と平行な方向に反射するように取り付けられている。溝部６３，６４は、角度校正冶具６０を支持台５１の支持棒５２，５３上に安定的に載置するための三角形状の溝である。
【００２４】
このように構成された角度校正冶具６０は、作業者により支持台５１の支持棒５２，５３上に載置される。この場合、図７に示すように、支持棒５２上に溝部６３が載置されるとともに支持棒５３上に溝部６４が載置されることによって、角度校正冶具６０が、支持棒５２，５３の軸線方向に摺動可能かつ同軸線方向と直交する方向に移動不可能な状態で載置されることになる。そして、角度校正冶具６０を、支持棒５２，５３に沿って動かしオートコリメータ４１から発せられるレーザ光が平面ミラー６１に投射される位置に位置決めする。次に作業者は、オートコリメータ４１、ＣＣＤ４３、モニタ４４の作動を開始させる。これにより、オートコリメータ４１はレーザ光を平面ミラー６１に向けて発射する。オートコリメータ４１から発せられたレーザ光は、平面ミラー６１によって反射されオートコリメータ４１に入射する。オートコリメータ４１に入射したレーザ光はＣＣＤ４３により受光され対応する電気信号に変換された後、モニタ４４に出力される。モニタ４４は、ＣＣＤ４３からの電気信号に基づいてオートコリメータ４１から発せられたレーザ光と平面ミラー６１によって反射されて戻ってきたレーザ光との光軸のずれの様子を表示する。
【００２５】
作業者は、このモニタ４４による両光軸のずれの表示に基づいて、オートコリメータ４１から発せられたレーザ光と平面ミラー６１から反射されて戻ってきたレーザ光との光軸を一致させるように、オートコリメータ４１が発するレーザ光の方向を調整する。これにより、オートコリメータ４１から発せられるレーザ光は支持棒５２，５３の中心軸を含む平面に対して垂直になる。次に作業者は、角度校正冶具６０を支持棒５２，５３に沿って動かし、オートコリメータ４１から発せられるレーザ光が三角ミラー６２に投射される位置に位置決めする。これにより、オートコリメータ４１から発せられたレーザ光は、三角ミラー６２によって直角方向に反射され反射鏡４２に到達する。この状態で作業者は、反射鏡４２の向きを調整してレーザ光が反射鏡４２に垂直に投射されるようにする。これにより、オートコリメータ４１から発せられたレーザ光は、三角ミラー６２および反射鏡４２により反射され、再び三角ミラー６２により反射されてオートコリメータ４１に入射するとともに、両光軸のずれの様子がＣＣＤ４３を介してモニタ４４に表示される。
【００２６】
そして、作業者は、モニタ４４による両光軸のずれの表示に基づいて、オートコリメータ４１から発せられたレーザ光と、三角ミラー６２および反射鏡４２から反射されて戻ってきたレーザ光との光軸を一致させるように、反射鏡４２の角度を調整する。これにより反射鏡４２はオートコリメータ４１から発せられるレーザ光に対して平行になるとともに、支持棒５２，５３の中心軸を含む平面に対して垂直になる。そして、オートコリメータ４１、ＣＣＤ４３、モニタ４４の作動を停止させ、角度校正冶具６０を支持棒５２，５３上から取り除き、オートコリメータ４１および反射鏡４２の角度校正が終了する。
【００２７】
次に、このように校正されたミラー角度調整冶具を用いた光ピックアップ装置の組み立てについて説明する。作業者は、まず、ヨーク１５、マグネット１６，１６、シャフト１７，１７を備えた筐体１０とミラー１１とを用意する。この筐体１０にはミラー１１の角度調整時に光路孔１８を必要とするためホログラムユニット２１は取り付けられていない。また、これと同時に前記ミラー角度調整冶具を用意する。そして、ミラー角度調整冶具内に、この筐体１０およびミラー１１をセットする。具体的には、筐体１０の第１支持部２２，２２の間に支持棒５２を挿通させるとともに、筐体１０の第２支持部２３，２３に支持棒５３を挿通させて筐体１０を支持台５１に取り付ける（図８参照）。そして、再度オートコリメータ４１、ＣＣＤ４３、モニタ４４の作動を開始させ、筐体１０を支持棒５２，５３の軸線方向に摺動させてオートコリメータ４１から発せられるレーザ光が球面状凹部１３の略中心に位置するように調整する。これにより、オートコリメータ４１から発せられるレーザ光の光軸上に筐体１０の球面状凹部１３が位置するとともに同光軸に対して垂直にセットされたことになる。次に、オートコリメータ４１、ＣＣＤ４３、モニタ４４の作動を停止させ筐体１０の下面に設けられている貫通孔１４を覆うようにバキューム４５の吸引口４７を密着させ固定させる。そして、筐体１０の球面状凹部１３にミラー１１を互いの球面部を当接させた状態で載置する。これにより、ミラー１１はオートコリメータ４１から発せられるレーザ光の光軸上に載置されたことになる。以上により筐体１０およびミラー１１がミラー角度調整冶具内にセットされたことになる。
【００２８】
このような状態で、作業者は、まずバキューム４５の作動を開始させる。この場合、バキューム４５の吸引力はミラー１１の仮保持が目的のため「弱」に設定させる。これにより、ミラー１１はバキューム４５の吸引力によって球面状凹部１３に吸着されて仮保持される。そして、ミラー１１の反射面を水平に対して約４５度になるように調整する。次に作業者は、再びオートコリメータ４１、ＣＣＤ４３、モニタ４４の作動を開始させる。これにより、オートコリメータ４１はレーザ光をミラー１１に向けて発射する。オートコリメータ４１から発せられたレーザ光は、ミラー１１の反射面にて直角方向に反射され光路孔１８を通り反射鏡４２に到達する。そして、同レーザ光は同反射鏡４２により反射されて再び光路孔１８およびミラー１１を介してオートコリメータ４１に入射する。オートコリメータ４１に入射したレーザ光はＣＣＤ４３により受光され対応する電気信号に変換された後、モニタ４４に出力される。モニタ４４は、ＣＣＤ４３からの電気信号に基づいてオートコリメータ４１から発せられたレーザ光とミラー１１および反射鏡４２によって反射されて戻ってきたレーザ光との光軸のずれの様子を表示する。
【００２９】
作業者は、モニタ４４による両光軸のずれの表示に基づいて、オートコリメータ４１から発せられたレーザ光と反射されて戻ってきたレーザ光との光軸を一致させるようにミラー１１の角度を調整する。この場合、ミラー１１の角度調整はバキューム４５による吸引力に抗して行われる。そして、この両光軸が一致したことがモニタ４４によって確認されると、作業者はバキューム４５を操作してその吸引力を「強」に切り替える。これにより、ミラー１１はより強く球面状凹部１３に吸着されることになり、この状態において、ミラー１１と球面状凹部１３の当接縁に接着剤を塗布して、同当接縁を接着することによりミラー１１を筐体１０に固定する。そして、ミラー１１と筐体１０の接着が完了すると、オートコリメータ４１、ＣＣＤ４３、モニタ４４、バキューム４５の作動を停止させ筐体１０をミラー角度調整冶具から外し、ミラー１１の角度調整が終了する。このミラー１１の角度調整により、筐体１０は、ミラー１１の水平方向および垂直方向から入射したレーザ光をそれぞれ正確に垂直方向および水平方向に反射させることができる。
【００３０】
次に、作業者は、対物レンズ３１、フォーカスコイル３５、トラッキングコイル３６，３６を備えたホルダ３２がワイヤー３３によってベース３４に弾性的に支持されて構成される可動部３０と、ホログラムユニット２１とを用意する。そして、この可動部３０をミラー１１の角度調整がされた前記筐体１０内に収容する。具体的には、図９に示すように、可動部３０のベース３４に設けられた軸孔３８，３８に筐体１０に立設されたシャフト１７，１７を挿入し固定する。この場合、ホルダ３２に組み付けられたフォーカスコイル３５の内側に、マグネット１６が固着されたヨーク１５の一片が進入するとともに、同ヨーク１５の他片がトラッキングコイル３６，３６に対向した状態で固定される。また、ホルダ３２に組み付けられた対物レンズ３１はミラー１１の真上に配置されるようになる。そして、ホログラムユニット２１を筐体１０の外側壁面からその一部を光路孔１８に挿入した状態で貼り付け固定する。以上により図１に示される本発明の第１実施形態に係る光ピックアップ装置が得られる。
【００３１】
このように構成された光ピックアップ装置を使用するに際しては、対物レンズ３１の上方における所定の位置に図示しないＣＤ、ＭＯなどの光ディスクを配置して、光ピックアップ装置を備えた図示しない光ディスク装置の電源を入れ、光ディスクを回転させるとともにフォーカスコイル３５およびトラッキングコイル３６，３６に駆動電流を通電させる。フォーカスコイル３５およびトラッキングコイル３６，３６への通電は、光ディスク装置内の駆動電流供給手段（図示せず）によって行われ、フォーカスコイル３５およびトラッキングコイル３６，３６に駆動電流が通電されると、ヨーク１５およびマグネット１６，１６による磁界との相互作用により、フォーカスコイル３５およびトラッキングコイル３６，３６に供給される駆動電流の向きおよび大きさに応じて対物レンズ３１がフォーカス制御およびトラッキング制御される。
【００３２】
また、これらと同時にホログラムユニット２１からレーザ光がミラー１１に向けて発射される。このホログラムユニット２１からのレーザ光の発射は光ディスク装置内のレーザ駆動手段（図示せず）によって制御されており、発射されたレーザ光は、光路孔１８を通りミラー１１により直角上向に反射され、対物レンズ３１を介して光ディスク面上に照射される。この場合、対物レンズ３１は前記フォーカス制御およびトラッキング制御によりレーザ光の光軸方向および光ディスクの径方向に連続的に変位しているが、ミラー１１の角度調整が正確に行われているため光ディスク面に対して垂直にレーザ光が照射される。そして、光ディスク面に垂直に照射されたレーザ光は、光ディスク面により反射され再び対物レンズ３１を介してミラー１１に到達し、ミラー１１によって直角水平方向に反射され光路孔１８を通りホログラムユニット２１に入射する。ホログラムユニット２１は入射した同レーザ光を内蔵する受光素子により対応する電気信号に変換して図示しない信号再生手段などに出力する。
【００３３】
この第１実施形態によれば、ミラー１１を筐体１０の球面状凹部１３に直接載置して角度調整および固定を行っているため、ミラー１１の角度調整機構を極めて簡単な構成とすることができる。このことは、光ピックアップ装置の薄型化を可能とするほか、光ピックアップ装置を安価にできるとともに光ピックアップ装置の組み立ておよびミラー１１の角度調整を短時間にすることができる。また、各構成部品の寸法公差の累積によるミラー１１の角度調整精度の劣化を防ぎ高精度な角度調整も可能となる。さらには、バキューム４５によりミラー１１を仮保持するとともに固定時にはより強くミラー１１を仮保持しながらミラー１１の角度調整および固定ができるため、ミラー１１の角度調整をより簡単かつ正確に行えるとともに短時間で行うことができる。
【００３４】
なお、上記第１実施形態においては、ミラー１１と筐体１０の固定は、ミラー１１と球面状凹部１３の当接縁を接着して固定したが、これに代えて、例えば球面状凹部１３に貫通孔１４に連通しない溝部を設け、この溝部に接着剤を注入してミラー１１を固着するようにしてもよい。これによれば、ミラー１１と球面状凹部１３との接着面積が広くなりより強固にミラー１１を筐体１０に固定することができる。
【００３５】
ｂ．第２実施形態
次に、本発明の第２実施形態に係る光ピックアップ装置について説明する。この光ピックアップ装置も、図１０に示すように、ミラー１１を備えた筐体１０と、対物レンズ３１を備えた可動部３０とによって構成されている。
【００３６】
この光ピックアップ装置では、筐体１０の底部１２の中央部に設けられた球面状凹部１３に３つの半球状の突起２４，２４，２４が設けられている。この突起２４，２４，２４は、ミラー１１を点接触にて３点支持するとともに、それらの各間隔が同一となるようにすなわち等間隔に配置されている。なお、前記３つの突起２４，２４，２４は、球面状凹部１３に等間隔に配置したが、ミラー１１を３点支持できればどのような配置にしてもよい。この場合、球面状凹部１３の球面とミラー１３の球面との間に突起２４，２４，２４の高さ分の隙間も生じることになる。
【００３７】
そして、この筐体１０にミラー１１を組み付ける場合には、突起２４，２４，２４にミラー１１を載置して所望する角度に調整した後、球面状凹部１３とミラー１１のとの間に生じる前記隙間に接着剤を注入してミラー１１を固着させる。光ピックアップ装置のそれ以外の部分の構成については前記第１実施形態と同様である。したがって、同一部分に同一符号を付して、その説明を省略する。
【００３８】
このような第２実施形態によれば、ミラー１１を３つの突起２４，２４，２４によって３点支持し安定した状態でミラー１１の角度調整が行えるため、より高精度な角度調整が行えるようになる。また、球面状凹部１３の球面とミラー１３の球面との間に生じた隙間に接着剤を注入してミラー１１を固着できるため、より強固にミラー１１と筐体１０を固着させることができる。
【００３９】
なお、本第２実施形態においては、３つの突起部２４，２４，２４を設けて構成したが、これに代えて、例えば４つ以上の突起部を設けて構成してもよい。これによれば、各突起部の精度やミラー１１の球面精度に多少のバラツキが生じていても、常にいずれか３つの突起部によってミラー１１を安定的に支持することができる。
【００４０】
以上、本発明の第１実施形態、第２実施形態およびそれらの変形例について説明したが、本発明の実施にあたっては本発明の目的を逸脱しない範囲において種々の変更が可能である。
【図面の簡単な説明】
【００４１】
【図１】本発明の第１実施形態に係る光ピックアップ装置の全体斜視図である。
【図２】前記光ピックアップ装置の縦断面図である。
【図３】前記光ピックアップ装置の分解斜視図である。
【図４】ミラーの角度調整時に使用されるミラー角度調整冶具の概略図である。
【図５】ミラー角度調整冶具における支持台の概略図である。
【図６】ミラー角度調整冶具における角度校正冶具の概略図である。
【図７】支持台に角度校正冶具を設置した状態を表す図である。
【図８】支持台に筐体を取り付けた状態を表す図である。
【図９】図１の光ピックアップ装置の組み付け過程を示す分解斜視図である。
【図１０】本発明の第２実施形態に係る光ピックアップ装置の全体斜視図である。
【符号の説明】
【００４２】
１０…筐体、１１…ミラー、１２…底部、１３…球面状凹部、１４…貫通孔、１５…ヨーク、１６…マグネット、１７…シャフト、１８…光路孔、２１…ホログラムユニット、２２…第１支持部、２３…第２支持部、２４…突起部、３０…可動部、３１…対物レンズ、３２…ホルダ、３４…ベース。
【図１】
2005174505.tif 000003
【図２】
2005174505.tif 000004
【図３】
2005174505.tif 000005
【図４】
2005174505.tif 000006
【図５】
2005174505.tif 000007
【図６】
2005174505.tif 000008
【図７】
2005174505.tif 000009
【図８】
2005174505.tif 000010
【図９】
2005174505.tif 000011
【図１０】
2005174505.tif 000012